(57)【特許請求の範囲】
【請求項１】
描画オブジェクトを含む印刷データを生成する情報処理装置と、前記情報処理装置から印刷データを受信する画像形成装置とを備える画像形成システムにおいて、
前記情報処理装置は、
同一種別の前記描画オブジェクトの中から、変換対象の描画オブジェクトを個々に指定可能な指定部と、
前記変換対象として指定された描画オブジェクトを示すオブジェクト指定情報及び該指定した描画オブジェクトに対するオブジェクト変換情報を生成する変換情報生成部と、
印刷データに前記生成されたオブジェクト指定情報及びオブジェクト変換情報を付加した合成印刷データを生成する変換情報合成部と、
前記合成印刷データを前記画像形成装置に送信する送信部とを備え、
前記画像形成装置は、
前記情報処理装置から前記合成印刷データを受信する受信部と、
前記受信された合成印刷データからオブジェクト指定情報及びオブジェクト変換情報を取得する情報取得部と、
前記取得されたオブジェクト指定情報及びオブジェクト変換情報に基づいて、前記合成印刷データを変換処理して変換印刷データを生成する変換部と、
前記生成された変換印刷データに基づいて印刷処理を実行する印刷部とを備えることを特徴とする画像形成システム。
【請求項２】
前記オブジェクト指定情報は、オブジェクトデータの集合を示すグループ情報からなり、前記オブジェクト変換情報は、前記グループ情報のグループ毎に変換処理を行うグループ変換情報からなることを特徴とする請求項１記載の画像形成システム。
【請求項３】
前記変換情報生成部は、変換対象として指定された描画オブジェクト及び該描画オブジェクトに対するカラートナーの消費低減を指示するための変換条件データを生成し、
前記生成された変換条件データに基づいて、前記印刷データを解析し、前記変換条件データに指定された変換条件に一致する描画オブジェクトを変換対象の描画オブジェクトとして特定するオブジェクト判別部を含み、
更に、前記変換情報合成部は、前記特定された描画オブジェクトを変換対象として指定するオブジェクト指定情報及び前記変換条件データに基づいて生成される前記特定された描画オブジェクトに対するオブジェクト変換情報を前記印刷データに付加することを特徴とする請求項１又は２に記載の画像形成システム。
【請求項４】
前記変換部は、前記オブジェクト指定情報が示す描画オブジェクトに対し、前記オブジェクト変換情報に基づいて、前記合成印刷データをモノクロ変換処理した変換印刷データを生成することを特徴とする請求項１乃至３のいずれか一項に記載の画像形成システム。
【請求項５】
前記変換部は、前記オブジェクト指定情報が示す描画オブジェクトに対し、オブジェクト変換情報に基づいて、前記合成印刷データを濃度低減変換処理した変換印刷データを生成することを特徴とする請求項１乃至４のいずれか一項に記載の画像形成システム。
【請求項６】
前記変換部は、前記オブジェクト指定情報が示す描画オブジェクトに対し、オブジェクト変換情報に基づいて、前記合成印刷データを縮小変換処理した変換印刷データを生成することを特徴とする請求項１乃至５のいずれか一項に記載の画像形成システム。
【請求項７】
ユーザが描画オブジェクトを指定するためのプレビュー画面を表示する出力部を更に備えることを特徴とする請求項１に記載の画像形成システム。
【請求項８】
前記プレビュー画面に表示された描画オブジェクトの範囲を指定して描画オブジェクトを指定することを特徴とする請求項７に記載の画像形成システム。
【請求項９】
前記プレビュー画面に表示された描画オブジェクトのサイズを指定して描画オブジェクトを指定することを特徴とする請求項７に記載の画像形成システム。
【請求項１０】
前記変換条件データを記憶する記憶部を更に備えることを特徴とする請求項３に記載の画像形成システム。
【請求項１１】
前記印刷データは、個々の描画オブジェクトに対する変換コマンドを含むことを特徴とする請求項１に記載の画像形成システム。
【請求項１２】
同一種別の前記描画オブジェクトの中から、変換対象の描画オブジェクトを個々に指定可能な指定部と、
前記変換対象として指定された描画オブジェクトを示すオブジェクト指定情報及び該指定した描画オブジェクトに対するオブジェクト変換情報を生成する変換情報生成部と、
印刷データに前記生成されたオブジェクト指定情報及びオブジェクト変換情報を付加した合成印刷データを生成する変換情報合成部と、
前記生成されたオブジェクト指定情報及びオブジェクト変換情報に基づいて、前記合成印刷データを変換処理して変換印刷データを生成する変換部と、
前記生成された変換印刷データを送信する送信部とを備えることを特徴とする情報処理装置。
【請求項１３】
前記オブジェクト指定情報は、オブジェクトデータの集合を示すグループ情報からなり、前記オブジェクト変換情報は、前記グループ情報のグループ毎に変換処理を行うグループ変換情報からなることを特徴とする請求項１２記載の情報処理装置。
【請求項１４】
前記変換情報生成部は、変換対象として指定された描画オブジェクト及び該描画オブジェクトに対するカラートナーの消費低減を指示するための変換条件データを生成し、
前記生成された変換条件データに基づいて、前記印刷データを解析し、前記変換条件データに指定された変換条件に一致する描画オブジェクトを変換対象の描画オブジェクトとして特定するオブジェクト判別部を含み、
更に、前記変換情報合成部は、前記特定された描画オブジェクトを変換対象として指定するオブジェクト指定情報及び前記変換条件データに基づいて生成される前記特定された描画オブジェクトに対するオブジェクト変換情報を前記印刷データに付加することを特徴とする請求項１２又は１３に記載の情報処理装置。
【請求項１５】
前記変換部は、前記オブジェクト指定情報が示す描画オブジェクトに対し、前記オブジェクト変換情報に基づいて、前記合成印刷データをモノクロ変換処理した変換印刷データを生成することを特徴とする請求項１２乃至１４のいずれか一項に記載の情報処理装置。
【請求項１６】
前記変換部は、前記オブジェクト指定情報が示す描画オブジェクトに対し、オブジェクト変換情報に基づいて、前記合成印刷データを濃度低減変換処理した変換印刷データを生成することを特徴とする請求項１２乃至１５のいずれか一項に記載の情報処理装置。
【請求項１７】
前記変換部は、前記オブジェクト指定情報が示す描画オブジェクトに対し、オブジェクト変換情報に基づいて、前記合成印刷データを縮小変換処理した変換印刷データを生成することを特徴とする請求項１２乃至１６のいずれか一項に記載の情報処理装置。
【請求項１８】
ユーザが描画オブジェクトを指定するためのプレビュー画面を表示する出力部を更に備えることを特徴とする請求項１２に記載の情報処理装置。
【請求項１９】
前記プレビュー画面に表示された描画オブジェクトの範囲を指定して描画オブジェクトを指定することを特徴とする請求項１８に記載の情報処理装置。
【請求項２０】
前記プレビュー画面に表示された描画オブジェクトのサイズを指定して描画オブジェクトを指定することを特徴とする請求項１８に記載の情報処理装置。
【請求項２１】
前記変換条件データを記憶する記憶部を更に備えることを特徴とする請求項１４に記載の情報処理装置。
【請求項２２】
前記印刷データは、個々の描画オブジェクトに対する変換コマンドを含むことを特徴とする請求項１２に記載の情報処理装置。
【請求項２３】
上位装置から、描画オブジェクトを含む印刷データを受信する受信部と、
前記受信された印刷データに含まれる同一種別の前記描画オブジェクトの中から、変換対象の描画オブジェクトを個々に指定可能な指定部と、
前記変換対象として指定された描画オブジェクトを示すオブジェクト指定情報及び該指定した描画オブジェクトに対するオブジェクト変換情報を生成する変換情報生成部と、
前記印刷データに前記生成されたオブジェクト指定情報及びオブジェクト変換情報を付加した合成印刷データを生成する変換情報合成部と、
前記生成されたオブジェクト指定情報及びオブジェクト変換情報に基づいて、前記生成された合成印刷データを変換処理して変換印刷データを生成する変換部と、
前記生成された変換印刷データに基づいて印刷処理を実行する印刷部とを備えることを特徴とする画像形成装置。
【請求項２４】
前記オブジェクト指定情報は、オブジェクトデータの集合を示すグループ情報からなり、前記オブジェクト変換情報は、前記グループ情報のグループ毎に変換処理を行うグループ変換情報からなることを特徴とする請求項２３記載の画像形成装置。
【請求項２５】
前記変換情報生成部は、変換対象として指定された描画オブジェクト及び該描画オブジェクトに対するカラートナーの消費低減を指示するための変換条件データを生成し、
前記生成された変換条件データに基づいて、前記印刷データを解析し、前記変換条件データに指定された変換条件に一致する描画オブジェクトを変換対象の描画オブジェクトとして特定するオブジェクト判別部を含み、
更に、前記変換情報合成部は、前記特定された描画オブジェクトを変換対象として指定するオブジェクト指定情報及び前記変換条件データに基づいて生成される前記特定された描画オブジェクトに対するオブジェクト変換情報を前記印刷データに付加することを特徴とする請求項２３又は２４に記載の画像形成装置。
【請求項２６】
前記変換部は、前記オブジェクト指定情報が示す描画オブジェクトに対し、前記オブジェクト変換情報に基づいて、前記合成印刷データをモノクロ変換処理した変換印刷データを生成することを特徴とする請求項２３乃至２５のいずれか一項に記載の画像形成装置。
【請求項２７】
前記変換部は、前記オブジェクト指定情報が示す描画オブジェクトに対し、オブジェクト変換情報に基づいて、前記合成印刷データを濃度低減変換処理した変換印刷データを生成することを特徴とする請求項２３乃至２６のいずれか一項に記載の画像形成装置。
【請求項２８】
前記変換部は、前記オブジェクト指定情報が示す描画オブジェクトに対し、オブジェクト変換情報に基づいて、前記合成印刷データを縮小変換処理した変換印刷データを生成することを特徴とする請求項２３乃至２７のいずれか一項に記載の画像形成装置。
【請求項２９】
ユーザが描画オブジェクトを指定するためのプレビュー画面を表示する出力部を更に備えることを特徴とする請求項２３に記載の画像形成装置。
【請求項３０】
前記プレビュー画面に表示された描画オブジェクトの範囲を指定して描画オブジェクトを指定することを特徴とする請求項２９に記載の画像形成装置。
【請求項３１】
前記プレビュー画面に表示された描画オブジェクトのサイズを指定して描画オブジェクトを指定することを特徴とする請求項２９に記載の画像形成装置。
【請求項３２】
前記変換条件データを記憶する記憶部を更に備えることを特徴とする請求項２５に記載の画像形成装置。
【請求項３３】
前記印刷データは、個々の描画オブジェクトに対する変換コマンドを含むことを特徴とする請求項２３に記載の画像形成装置。
【発明の詳細な説明】
【技術分野】
【０００１】
本発明は、画像形成装置、情報処理装置および画像形成システムに関するものである。
【背景技術】
【０００２】
テキスト、図形、画像等の描画オブジェクトを含む印刷データを上位装置から受信すると、該印刷データに基づいて印刷処理を実行する画像形成システムが知られている。例えば、下記特許文献１では、上位装置から受信した印刷データに白黒以外の色情報を有する描画オブジェクトが含まれていると、カラー印刷処理を実行し、白黒以外の色情報を有する描画オブジェクトが含まれていないと、モノクロ印刷処理を実行する画像形成システムが開示されている。
【特許文献１】特開２００２−２１１０４８号公報
【発明の開示】
【発明が解決しようとする課題】
【０００３】
しかしながら、上記した画像形成システムには、次のような解決すべき課題があった。即ち、例えば、カラー印刷すべき図形等をモノクロ印刷しても情報差が生じない場合であっても、印刷データを構成する描画オブジェクトに白黒以外の色情報を有する描画オブジェクトが含まれていると、カラー印刷処理が実行されることから、カラートナーが不要に消費されてしまう問題があった。
【課題を解決するための手段】
【０００４】
本発明は、以上の点を解決するために、次の構成を採用する。
〈構成１〉
描画オブジェクトを含む印刷データを生成する情報処理装置と、前記情報処理装置から印刷データを受信する画像形成装置とを備える画像形成システムにおいて、前記情報処理装置は、同一種別の前記描画オブジェクトの中から、変換対象の描画オブジェクトを個々に指定可能な指定部と、前記変換対象として指定された描画オブジェクトを示すオブジェクト指定情報及び該指定した描画オブジェクトに対するオブジェクト変換情報を生成する変換情報生成部と、印刷データに前記生成されたオブジェクト指定情報及びオブジェクト変換情報を付加した合成印刷データを生成する変換情報合成部と、前記合成印刷データを前記画像形成装置に送信する送信部とを備え、前記画像形成装置は、前記情報処理装置から前記合成印刷データを受信する受信部と、前記受信された合成印刷データからオブジェクト指定情報及びオブジェクト変換情報を取得する情報取得部と、前記取得されたオブジェクト指定情報及びオブジェクト変換情報に基づいて、前記合成印刷データを変換処理して変換印刷データを生成する変換部と、前記生成された変換印刷データに基づいて印刷処理を実行する印刷部とを備えることを特徴とする。
〈構成２〉
同一種別の前記描画オブジェクトの中から、変換対象の描画オブジェクトを個々に指定可能な指定部と、前記変換対象として指定された描画オブジェクトを示すオブジェクト指定情報及び該指定した描画オブジェクトに対するオブジェクト変換情報を生成する変換情報生成部と、印刷データに前記生成されたオブジェクト指定情報及びオブジェクト変換情報を付加した合成印刷データを生成する変換情報合成部と、前記生成されたオブジェクト指定情報及びオブジェクト変換情報に基づいて、前記合成印刷データを変換処理して変換印刷データを生成する変換部と、前記生成された変換印刷データを送信する送信部とを備えることを特徴とする。
〈構成３〉
上位装置から、描画オブジェクトを含む印刷データを受信する受信部と、前記受信された印刷データに含まれる同一種別の前記描画オブジェクトの中から、変換対象の描画オブジェクトを個々に指定可能な指定部と、前記変換対象として指定された描画オブジェクトを示すオブジェクト指定情報及び該指定した描画オブジェクトに対するオブジェクト変換情報を生成する変換情報生成部と、前記印刷データに前記生成されたオブジェクト指定情報及びオブジェクト変換情報を付加した合成印刷データを生成する変換情報合成部と、前記生成されたオブジェクト指定情報及びオブジェクト変換情報に基づいて、前記生成された合成印刷データを変換処理して変換印刷データを生成する変換部と、前記生成された変換印刷データに基づいて印刷処理を実行する印刷部とを備えることを特徴とする。
【発明の効果】
【０００５】
本発明では、カラー印刷すべき図形等をモノクロ印刷しても情報差が生じない場合にカラートナーを抑制した印刷処理を行うことができる。従って、カラートナーが不要に消費されるのを低減できる。
【発明を実施するための最良の形態】
【０００６】
以下、本発明の一実施形態を図を用いて詳細に説明する。
【実施例１】
【０００７】
〈実施例１の構成〉
図１は、本発明の画像形成システムを示すブロック構成図である。
【０００８】
図１に示すように、実施例１の画像形成システムは、情報処理装置１０、ネットワーク５００（Ｉ／Ｆケーブル）及び画像形成装置２０から構成され、情報処理装置１０は、ネットワーク５００（Ｉ／Ｆケーブル）を介して画像形成装置２０に接続されている。
【０００９】
情報処理装置１０は、例えば、ＰＣ（Ｐｅｒｓｏｎａｌ  Ｃｏｍｐｕｔｅｒ）等であり、キーボード、マウス等からなる入力部１１、液晶等からなる出力部１２、アプリケーション１３、オペレーティングシステム１４、ドライバ１５、送信部１６から構成されている。
【００１０】
アプリケーション１３は、例えば、ワードプロセッサ等のように利用者の操作に応じて、テキスト、図形、画像等の描画オブジェクトを含む描画オブジェクトデータを生成すると共に、生成した描画オブジェクトデータの印刷指示を行うソフトウェアであり、入力部１１から生成した描画オブジェクトデータの印刷指示を受けると、描画オブジェクトデータをオペレーティングシステム１４に転送する。
【００１１】
本実施例では、図２に示すような描画オブジェクト５１、５２、５３、５４、５５を含む描画オブジェクトデータが生成され、該描画オブジェクトデータがオペレーティングシステム１４に転送されることとする。
【００１２】
オペレーティングシステム１４は、入力部１１、出力部１２、アプリケーション１３、ドライバ１５等を統括制御する基本ソフトウェアであり、グラフィックデバイスインターフェース１４Ａを有している。
【００１３】
このグラフィックデバイスインターフェース１４Ａは、描画オブジェクトデータをドライバ１５及び出力部１２のいずれかに供給するためのインターフェースであり、描画オブジェクトデータを受けると、描画オブジェクトデータをドライバ１５に転送する。
【００１４】
ドライバ１５は、画像形成装置２０に送信する印刷データを生成するドライバであり、印刷データ生成部１５Ａ、変換情報生成部１５Ｂ、変換情報合成部１５Ｃから構成されている。
【００１５】
印刷データ生成部１５Ａは、描画オブジェクトデータに基づく印刷データを生成する生成部であり、描画オブジェクトデータを受けると、描画オブジェクトデータに基づいて、ページ記述言語（Ｐａｇｅ−Ｄｅｓｃｒｉｐｔｉｏｎ  Ｌａｎｇｕａｇｅ：ＰＤＬ）により画像形成装置２０に送信するための印刷データを生成する。
【００１６】
本実施例では、描画オブジェクトデータ（図２参照）に基づいて、図３に示すような印刷データが生成される。ここで、描画オブジェクト５１、５２、５３、５４、５５は、ページ記述言語６１、６２、６３、６４、６５でそれぞれ記述されている。
【００１７】
変換情報生成部１５Ｂは、ページ記述言語で記述された各描画オブジェクトの変換指示を行う指示部であり、図示しないメモリに変換設定を行うための変換設定画面データを保持している。
【００１８】
変換情報生成部１５Ｂは、印刷データ生成部１５Ａが印刷データを生成すると、図示しないメモリに印刷データを一時格納すると共に、生成された印刷データに基づいて、ページ毎のプレビュー表示用の印刷画像データを生成し、生成された最初のページの印刷画像データ及びメモリの変換設定画面データを出力部１２に転送する。この際、変換情報生成部１５Ｂは、最初のページ以外のその他の印刷画像データを図示しないメモリに一時格納する。
【００１９】
出力部１２は、印刷画像データ及び変換設定画面データを受けると、印刷画像データ及び変換設定画面データに基づいて変換設定画面を表示する。本実施例では、図４に示すような変換設定画面が表示されることとする。
【００２０】
図４に示すように、実施例１の変換設定画面は、プレビュー表示領域３０、指定オブジェクト表示領域３６、前ページボタン３８、次ページボタン３９、オブジェクト指定ボタン３１、範囲指定ボタン３２、モノクロ印刷チェックボックス３３、トナーセーブ印刷チェックボックス３４、サムネイル印刷チェックボックス３５、指定解除ボタン３７、終了ボタン４０から構成され、プレビュー表示領域３０には、受け付けた印刷画像データに基づいたプレビュー画面が表示されている。
【００２１】
オブジェクト指定ボタン３１は、変換対象の描画オブジェクトを個別指定するためのボタンであり、範囲指定ボタン３２は、変換対象のオブジェクトをグループ指定するためのボタンである。また、モノクロ印刷チェックボックス３３、トナーセーブ印刷チェックボックス３４、サムネイル印刷チェックボックス３５は、指定された描画オブジェクトに対するカラートナーの消費低減を指示するためのチェックボックスである。
【００２２】
また、指定解除ボタン３７は、指定済のオブジェクトの指定を解除するためのボタンであり、終了ボタン４０は、変換設定の終了を指示するボタンである。
【００２３】
前ページボタン３８および次ページボタン３９は、プレビュー画面の表示更新を指示するボタンであり、利用者が変換設定画面を参照し、入力部１１を介して、次ページボタン３９を押下すると、変換情報生成部１５Ｂは、現在表示されているプレビュー画面の次ページのプレビュー画面を示す印刷画像データをメモリから取得し、取得した印刷画像データを出力部１２に転送する。出力部１２は、受け付けた印刷画像データ及び変換設定画面データに基づいて、プレビュー画面を更新した変換設定画面を表示する。
【００２４】
一方、利用者が変換設定画面を参照し、入力部１１を介して、前ページボタン３８を押下すると、変換情報生成部１５Ｂは、現在表示されているプレビュー画面の前ページのプレビュー画面を示す印刷画像データをメモリから取得し、取得した印刷画像データを出力部１２に転送する。出力部１２は、上記と同様に、受け付けた印刷画像データ及び変換設定画面データに基づいて、プレビュー画面を更新した変換設定画面を表示する。
【００２５】
ここで、変換情報生成部１５Ｂが、利用者に指定された描画オブジェクトを示すオブジェクト指定情報及びその描画オブジェクトの変換指示を示すオブジェクト変換情報を指定するまでの説明を行う。
【００２６】
利用者が変換設定画面を参照し、入力部１１を介して、オブジェクト指定ボタン３１を押下し、プレビュー表示領域３０上の所望の描画オブジェクトを指定すると共に、モノクロ印刷チェックボックス３３をチェックすると、変換情報生成部１５Ｂは、指定された描画オブジェクトを示すオブジェクト指定情報及びその描画オブジェクトに対してモノクロ変換を指示するオブジェクト変換情報を変換情報合成部１５Ｃに転送し、トナーセーブ印刷チェックボックス３４をチェックすると、トナーセーブすべく、オブジェクト指定情報及びその描画オブジェクトの濃度減縮変換を指示するオブジェクト変換情報を変換情報合成部１５Ｃに転送し、サムネイル印刷チェックボックス３５をチェックすると、その描画オブジェクトの縮小変換を指示するオブジェクト変換情報を変換情報合成部１５Ｃに転送する。
【００２７】
この際、変換情報生成部１５Ｂは、指定された描画オブジェクトを顕在化表示すべく、例えば、指定された描画オブジェクトを破線で示す等のプレビュー表示用の印刷画像データを生成すると共に、指定された描画オブジェクトが指定済であることを示すための指定済オブジェクトデータを生成し、生成された印刷画像データおよび指定済オブジェクトデータを出力部１２に転送する。
【００２８】
出力部１２は、印刷画像データおよび指定済オブジェクトデータを受けると、上記と同様に、印刷画像データおよび指定済オブジェクトデータに基づいて変換設定画面を更新する。即ち、プレビュー表示領域３０には、指定された描画オブジェクトが顕在化され、指定オブジェクト表示領域３６には、指定された描画オブジェクトが選択可能に表示させる。図５の例では、指定済オブジェクトデータとして５２、５３、５４が指定された例を示している。
【００２９】
一方、利用者が変換設定画面を参照し、入力部１１を介して、範囲指定ボタン３２を押下し、プレビュー表示領域３０上の描画オブジェクトを範囲指定すると共に、モノクロ印刷チェックボックス３３をチェックすると、変換情報生成部１５Ｂは、範囲指定された全ての描画オブジェクトを示すオブジェクト指定情報及び範囲指定した全ての描画オブジェクトのモノクロ変換を指示するオブジェクト変換情報を変換情報合成部１５Ｃに転送し、トナーセーブ印刷チェックボックス３４をチェックすると、トナーセーブすべく、オブジェクト指定情報及びその描画オブジェクトの濃度減縮変換を指示するオブジェクト変換情報を変換情報合成部１５Ｃに転送し、サムネイル印刷チェックボックス３５をチェックすると、その描画オブジェクトの縮小変換を指示するオブジェクト変換情報を変換情報合成部１５Ｃに転送する。サムネイル印刷チェックボックス３５をチェックすると、範囲指定したオブジェクトの縮小変換を指示するオブジェクト変換情報を変換情報合成部１５Ｃに転送する。
【００３０】
この際、変換情報生成部１５Ｂは、範囲指定されたオブジェクトを顕在化表示すべく、例えば、範囲指定した領域を破線で示す等のプレビュー表示用の印刷画像データを生成すると共に、範囲指定された全ての描画オブジェクトを示す指定済オブジェクトデータを生成し、生成された印刷画像データおよび指定済オブジェクトデータを出力部１２に転送する。
【００３１】
出力部１２は、印刷画像データおよび指定済オブジェクトデータを受けると、上記と同様に、印刷画像データおよび指定済オブジェクトデータに基づいて変換設定画面を更新する。即ち、プレビュー表示領域３０には、範囲指定された描画オブジェクトが顕在化され、指定オブジェクト表示領域３６には、範囲指定された描画オブジェクトが選択可能に表示させる。図６の例では、範囲指定された領域Ｒ内のオブジェクト５２、５３、５４が選択された例を示している。
【００３２】
変換情報合成部１５Ｃは、指定されたオブジェクト指定情報およびオブジェクト変換情報を印刷データに付加する合成部であり、オブジェクト指定情報およびオブジェクト変換情報を受ける毎に、受け付けたオブジェクト指定情報およびオブジェクト変換情報を図示しないメモリの印刷データに付加した合成印刷データを生成する。
【００３３】
次に、指定した描画オブジェクトの指定解除について説明を行う。
【００３４】
利用者が入力部１１を介して、指定オブジェクト表示領域３６上の描画オブジェクトを指定し、指定解除ボタン３７を押下すると、変換情報生成部１５Ｂは、指定された描画オブジェクトを示すオブジェクト指定情報及び、その描画オブジェクトに対するオブジェクト変換情報を合成印刷データから削除すると共に、該描画オブジェクトの顕在化表示を解除した印刷画像データを生成し、生成された印刷画像データを出力部１２に転送する。出力部１２は、上記と同様に、受け付けた印刷画像データに基づいて、顕在化表示が解除された変換設定画面を表示する。
【００３５】
次に、変換設定の終了指示について説明を行う。
【００３６】
利用者が入力部１１を介して、終了ボタン４０を押下すると、変換情報生成部１５Ｂは、変換設定の終了を検知し、メモリの印刷データを送信部１６に転送すると共に、出力部１２に変換設定画面の表示終了を指示する終了指示信号を出力する。終了指示信号を受けた出力部１２は、変換設定画面の表示を終了させる。
【００３７】
このように、利用者は、変換設定画面を参照し、オブジェクト指定ボタン３１及び範囲指定ボタン３２のいずれかを押下し、変換したい描画オブジェクトを容易に個別指定又は範囲指定することができると共に、該指定された描画オブジェクトが顕在化表示されるので、指定した描画オブジェクトの確認を行うことができる。また、指定オブジェクト表示領域３６に指定済の描画オブジェクトが選択可能に表示されることから、指定した描画オブジェクトの指定解除を容易に行うことができる。
【００３８】
本実施例では、図７に示すように、変換対象として、描画オブジェクト４１、４２、４３がそれぞれ範囲指定されると共に、モノクロ印刷チェックボックス３３がチェックされることとする。これにより、変換情報生成部１５Ｂによって、図８に示すオブジェクト指定情報７２、７３、７４およびオブジェクト変換情報７１が付加された合成印刷データが送信部１６に転送される。
【００３９】
送信部１６は、合成印刷データを画像形成装置２０に送信する送信部であり、合成印刷データを受けると、該合成印刷データを画像形成装置２０に送信する。
【００４０】
画像形成装置２０は、印刷データに基づく印刷処理を実行するプリンタ等であり、受信部２１、変換部２２、印刷部２３を有している。
【００４１】
受信部２１は、合成印刷データを受信する受信部であり、情報処理装置１０から合成印刷データを受信すると、受信した合成印刷データを変換部２２に転送する。
【００４２】
変換部２２は、合成印刷データの変換処理を行う変換部であり、合成印刷データを受けると、該合成印刷データに付加されたオブジェクト指定情報およびオブジェクト変換情報に基づいて、合成印刷データの変換処理を実行して、変換印刷データを印刷部２３に転送する。
【００４３】
即ち、まず、オブジェクト変換情報が付加されているか否かを判定すべく、合成印刷データを解析し、オブジェクト変換情報が付加されていないと、変換処理の完了を検知し、変換印刷データを印刷部２３に転送し、オブジェクト変換情報が付加されていると、引き続き、変換対象のオブジェクト指定情報が存在するか否かを判定すべく、合成印刷データを解析し、変換対象のオブジェクト指定情報が存在していないと、合成印刷データからオブジェクト変換情報を削除し、引き続き、他のオブジェクト変換情報が付加されているか否かを判定すべく、上記と同様に合成印刷データの解析を行う。
【００４４】
一方、変換対象のオブジェクト指定情報が存在していると、該オブジェクト指定情報が示す描画オブジェクトのページ記述言語をオブジェクト変換情報に基づいて変換処理すると共に、該変換処理の対象となった描画オブジェクトのオブジェクト指定情報を削除する。
【００４５】
変換部２２は、上記した変換処理を変換対象のオブジェクト指定情報が存在しなくなるまで繰り返し実行し、変換対象のオブジェクト指定情報が存在しなくなると、オブジェクト変換情報を削除すると共に、引き続き、他のオブジェクト変換情報が付加されているか否かを判定すべく、上記と同様に印刷データの解析を行う。
【００４６】
本実施例では、図８に示すオブジェクト指定情報７２、７３、７４およびモノクロ変換を指示するオブジェクト変換情報７１が付加された印刷データが送信部１６に転送されることから、オブジェクト指定情報７２、７３、７４が示す各描画オブジェクトのページ記述言語をモノクロ変換した図９に示すような変換印刷データが印刷部２３に転送される。
【００４７】
尚、例えば、合成印刷データにオブジェクト指定情報７２およびトナーセーブ印刷を指示するオブジェクト変換情報７５が付加されていた場合（図１０ａ参照）、オブジェクト指定情報７２が示す描画オブジェクトのページ記述言語を濃度減縮変換した図１０ｂに示すような変換印刷データが印刷部２３に転送される。また、合成印刷データにオブジェクト指定情報７２およびサムネイル印刷を指示するオブジェクト変換情報７６が付加されていた場合（図１１ａ参照）、オブジェクト指定情報７２が示す描画オブジェクトのページ記述言語を縮小変換した図１１ｂに示すような変換印刷データが印刷部２３に転送される。
【００４８】
印刷部２３は、変換印刷データに基づいて印刷処理を行う印刷部であり、変換印刷データを受けると、変換印刷データに基づいて、印刷処理を実行する。
【００４９】
このように、変換設定画面を介して、印刷データを構成する描画オブジェクトのうち、モノクロ印刷でもカラー印刷に比べて情報差が生じないと判断した描画オブジェクトを指定し、指定された描画オブジェクトをモノクロ変換した変換印刷データを印刷部２３に送信して、印刷処理を行うようにしたので、カラートナーを抑制した印刷処理を行うことができる。従って、カラートナーが不要に消費されてしまうのを低減できる。
【００５０】
また、印刷データを構成する描画オブジェクトのうち、カラートナーをセーブして印刷してもフルカラー印刷に比べて情報差が生じないと判断した描画オブジェクトを指定し、指定された描画オブジェクトを濃度減縮変換した変換印刷データを印刷部２３に送信して、印刷処理を行うようにしたので、カラートナーをセーブして印刷処理を実行することができる。従って、カラートナーが不要に消費されてしまうのを低減できる。
【００５１】
さらに、印刷データを構成する描画オブジェクトのうち、描画オブジェクトのサイズを変更しても、変更前に比べて情報差が生じないと判断した描画オブジェクトを指定し、指定された描画オブジェクトを縮小変換した変換印刷データを印刷部２３に送信して、印刷処理を行うようにしたので、描画オブジェクトのサイズを縮小して印刷処理を実行することができる。従って、カラートナーが不要に消費されてしまうのを低減できる。
【００５２】
〈実施例１の動作〉
次に、実施例１の画像形成システムの動作について説明を行う。
【００５３】
図１２は、実施例１の画像形成システムの動作フローチャートである。
【００５４】
アプリケーション１３は、入力部１１から生成した描画オブジェクトデータの印刷指示を受けると、描画オブジェクトデータをオペレーティングシステム１４に転送する。
【００５５】
本実施例では、図２に示すような描画オブジェクト５１、５２、５３、５４、５５を含む描画オブジェクトデータが生成され、該描画オブジェクトデータがオペレーティングシステム１４に転送されることとする。
【００５６】
オペレーティングシステム１４のグラフィックデバイスインターフェース１４Ａは、描画オブジェクトデータを受けると、描画オブジェクトデータをドライバ１５に転送する（Ｓ１）。
【００５７】
ドライバ１５の印刷データ生成部１５Ａは、描画オブジェクトデータを受けると、描画オブジェクトデータに基づいて、ページ記述言語（Ｐａｇｅ−Ｄｅｓｃｒｉｐｔｉｏｎ  Ｌａｎｇｕａｇｅ：ＰＤＬ）により画像形成装置２０に送信するための印刷データを生成する（Ｓ２）。
【００５８】
本実施例では、描画オブジェクトデータ（図２参照）に基づいて、図３に示すような印刷データが生成される。ここで、描画オブジェクト５１、５２、５３、５４、５５は、ページ記述言語６１、６２、６３、６４、６５でそれぞれ記述されている。
【００５９】
変換情報生成部１５Ｂは、印刷データ生成部１５Ａが印刷データを生成すると、図示しないメモリに印刷データを一時格納すると共に、生成された印刷データに基づいて、ページ毎のプレビュー表示用の印刷画像データを生成し、生成された最初のページの印刷画像データ及びメモリの変換設定画面データを出力部１２に転送する。この際、変換情報生成部１５Ｂは、最初のページ以外のその他の印刷画像データを図示しないメモリに一時格納する。
【００６０】
出力部１２は、印刷画像データ及び変換設定画面データを受けると、印刷画像データ及び変換設定画面データに基づいて変換設定画面を表示する（Ｓ３）。本実施例では、図４に示すような変換設定画面が表示されることとする。
【００６１】
そして、変換設定画面を参照した利用者により、入力部１１を介して、描画オブジェクト及びその描画オブジェクトの変換指示が指定される（Ｓ４）。
【００６２】
ここで、変換情報生成部１５Ｂが、利用者に指定された描画オブジェクトを示すオブジェクト指定情報及びその描画オブジェクトの変換指示を示すオブジェクト変換情報を指定するまでの説明を行う。
【００６３】
利用者が表示された変換設定画面を参照し、入力部１１を介して、オブジェクト指定ボタン３１を押下し、プレビュー表示領域３０上の所望の描画オブジェクトを指定すると共に、モノクロ印刷チェックボックス３３をチェックすると、変換情報生成部１５Ｂは、指定された描画オブジェクトを示すオブジェクト指定情報及びその描画オブジェクトに対してモノクロ変換を指示するオブジェクト変換情報を変換情報合成部１５Ｃに転送し、トナーセーブ印刷チェックボックス３４をチェックすると、トナーセーブすべく、オブジェクト指定情報及びその描画オブジェクトの濃度減縮変換を指示するオブジェクト変換情報を変換情報合成部１５Ｃに転送し、サムネイル印刷チェックボックス３５をチェックすると、その描画オブジェクトの縮小変換を指示するオブジェクト変換情報を変換情報合成部１５Ｃに転送する。
【００６４】
この際、変換情報生成部１５Ｂは、指定された描画オブジェクトを顕在化表示すべく、例えば、指定された描画オブジェクトを破線で示す等のプレビュー表示用の印刷画像データを生成すると共に、指定された描画オブジェクトが指定済であることを示すための指定済オブジェクトデータを生成し、生成された印刷画像データおよび指定済オブジェクトデータを出力部１２に転送する。
【００６５】
出力部１２は、印刷画像データおよび指定済オブジェクトデータを受けると、上記と同様に、印刷画像データおよび指定済オブジェクトデータに基づいて変換設定画面を更新する。即ち、プレビュー表示領域３０には、指定された描画オブジェクトが顕在化され、指定オブジェクト表示領域３６には、指定された描画オブジェクトが選択可能に表示させる。図５の例では、指定済オブジェクトデータとして５２、５３、５４が指定された例を示している。
【００６６】
一方、利用者が変換設定画面を参照し、入力部１１を介して、範囲指定ボタン３２を押下し、プレビュー表示領域３０上の描画オブジェクトを範囲指定すると共に、モノクロ印刷チェックボックス３３をチェックすると、変換情報生成部１５Ｂは、範囲指定された全ての描画オブジェクトを示すオブジェクト指定情報及び範囲指定した全ての描画オブジェクトのモノクロ変換を指示するオブジェクト変換情報を変換情報合成部１５Ｃに転送し、トナーセーブ印刷チェックボックス３４をチェックすると、トナーセーブすべく、オブジェクト指定情報及びその描画オブジェクトの濃度減縮変換を指示するオブジェクト変換情報を変換情報合成部１５Ｃに転送し、サムネイル印刷チェックボックス３５をチェックすると、その描画オブジェクトの縮小変換を指示するオブジェクト変換情報を変換情報合成部１５Ｃに転送する。サムネイル印刷チェックボックス３５をチェックすると、範囲指定したオブジェクトの縮小変換を指示するオブジェクト変換情報を変換情報合成部１５Ｃに転送する。
【００６７】
この際、変換情報生成部１５Ｂは、範囲指定されたオブジェクトを顕在化表示すべく、例えば、範囲指定した領域を破線で示す等のプレビュー表示用の印刷画像データを生成すると共に、範囲指定された全ての描画オブジェクトを示す指定済オブジェクトデータを生成し、生成された印刷画像データおよび指定済オブジェクトデータを出力部１２に転送する。
【００６８】
出力部１２は、印刷画像データおよび指定済オブジェクトデータを受けると、上記と同様に、印刷画像データおよび指定済オブジェクトデータに基づいて変換設定画面を更新する。即ち、プレビュー表示領域３０には、範囲指定された描画オブジェクトが顕在化され、指定オブジェクト表示領域３６には、範囲指定された描画オブジェクトが選択可能に表示させる。図６の例では、範囲指定された領域Ｒ内のオブジェクト５２、５３、５４が選択された例を示している。
【００６９】
変換情報合成部１５Ｃは、オブジェクト指定情報およびオブジェクト変換情報を受ける毎に、受け付けたオブジェクト指定情報およびオブジェクト変換情報を図示しないメモリの印刷データに付加して合成印刷データを生成する（Ｓ５）。
【００７０】
次に、指定した描画オブジェクトの指定解除について説明を行う。
【００７１】
利用者が入力部１１を介して、指定オブジェクト表示領域３６上の描画オブジェクトを指定し、指定解除ボタン３７を押下すると、変換情報生成部１５Ｂは、指定された描画オブジェクトを示すオブジェクト指定情報及びその描画オブジェクトに対するオブジェクト変換情報を合成印刷データから削除すると共に、該描画オブジェクトの顕在化表示を解除した印刷画像データを生成し、生成された印刷画像データを出力部１２に転送する。出力部１２は、上記と同様に、受け付けた印刷画像データに基づいて、顕在化表示が解除された変換設定画面を表示する。
【００７２】
次に、変換設定の終了指示について説明を行う。
【００７３】
利用者が入力部１１を介して、終了ボタン４０を押下すると、変換情報生成部１５Ｂは、変換設定の終了を検知し、メモリの印刷データを送信部１６に転送すると共に、出力部１２に変換設定画面の表示終了を指示する終了指示信号を出力する。終了指示信号を受けた出力部１２は、変換設定画面の表示を終了させる。
【００７４】
このように、利用者は、変換設定画面を参照し、オブジェクト指定ボタン３１及び範囲指定ボタン３２のいずれかを押下し、変換したい描画オブジェクトを容易に個別指定又は範囲指定することができると共に、該指定された描画オブジェクトが顕在化表示されるので、指定した描画オブジェクトの確認を行うことができる。また、指定オブジェクト表示領域３６に指定済の描画オブジェクトが選択可能に表示されることから、指定した描画オブジェクトの指定解除を容易に行うことができる。
【００７５】
本実施例では、図７に示すように、変換対象として、描画オブジェクト７２、７３、７４がそれぞれ範囲指定されると共に、モノクロ印刷チェックボックス３３がチェックされることとする。これにより、変換情報生成部１５Ｂによって、図８に示すオブジェクト指定情報７２、７３、７４およびオブジェクト変換情報７１が付加された合成印刷データが送信部１６に転送される。
【００７６】
送信部１６は、合成印刷データを受けると、該合成印刷データを画像形成装置２０に送信する（Ｓ６）。
【００７７】
画像形成装置２０の受信部２１は、合成印刷データを受信すると、受信した合成印刷データを変換部２２に転送する。
【００７８】
変換部２２は、合成印刷データを受けると、該合成印刷データに付加されたオブジェクト指定情報およびオブジェクト変換情報に基づいて、合成印刷データの変換処理を実行して、変換印刷データを生成する（Ｓ７）。
【００７９】
図１３は、変換部２２の動作フローチャートである。
【００８０】
変換部２２は、まず、オブジェクト変換情報が付加されているか否かを判定すべく、合成印刷データを解析し（Ｓ１０１）、オブジェクト変換情報が付加されていないと、変換処理の完了を検知し、変換印刷データを印刷部２３に転送し（Ｓ１０２）、オブジェクト変換情報が付加されていると、引き続き、変換対象のオブジェクト指定情報が存在するか否かを判定すべく、合成印刷データを解析し（Ｓ１０３）、変換対象のオブジェクト指定情報が存在していないと、合成印刷データからオブジェクト変換情報を削除し（Ｓ１０４）、引き続き、他のオブジェクト変換情報が付加されているか否かを判定すべく、上記と同様に合成印刷データの解析を行う。
【００８１】
一方、変換対象のオブジェクト指定情報が存在していると、該オブジェクト指定情報が示す描画オブジェクトのページ記述言語をオブジェクト変換情報に基づいて変換処理すると共に（Ｓ１０５）、該変換処理の対象となった描画オブジェクトのオブジェクト指定情報を削除する（Ｓ１０６）。
【００８２】
このように、変換部２２は、上記した変換処理を変換対象のオブジェクト指定情報が存在しなくなるまで繰り返し実行し、変換対象のオブジェクト指定情報が存在しなくなると、オブジェクト変換情報を削除すると共に、引き続き、他のオブジェクト変換情報が付加されているか否かを判定すべく、上記と同様に合成印刷データの解析を行う。
【００８３】
本実施例では、図８に示すオブジェクト指定情報７２、７３、７４およびモノクロ変換を指示するオブジェクト変換情報７１が付加された合成印刷データが送信部１６に転送されることから、オブジェクト指定情報７２、７３、７４が示す各描画オブジェクトのページ記述言語をモノクロ変換した図９に示すような変換印刷データが印刷部２３に転送される。
【００８４】
印刷部２３は、変換印刷データを受けると、変換印刷データに基づいて印刷処理を実行する（Ｓ８）。
【００８５】
〈実施例１の効果〉
実施例１の画像形成システムでは、少なくともテキスト、図形及び画像のいずれかの描画オブジェクトを含む印刷データを生成すると、カラートナーの消費を低減すべく、変換対象として指定された描画オブジェクトを示すオブジェクト指定情報及び該指定した描画オブジェクトに対するカラートナーの消費低減を指示するオブジェクト変換情報を生成し、印刷データに生成されたオブジェクト指定情報及びオブジェクト変換情報を付加した合成印刷データを生成し、オブジェクト指定情報及びオブジェクト変換情報に基づいて合成印刷データを変換処理して変換印刷データを生成し、生成された変換印刷データに基づいて印刷処理を行うようにしたので、例えば、モノクロ印刷されてもカラー印刷と比べて情報差が生じない場合にカラートナーを抑制した印刷処理を行うことができる。また、画像等の描画オブジェクトのサイズを縮小しても縮小前と比べて情報差が生じない場合にカラートナーを抑制した印刷処理を行うことができる。さらに、画像等の描画オブジェクトの濃度を低減しても低減前と比べて情報差が生じない場合にカラートナーを抑制した印刷処理を行うことができる。従って、カラートナーが不要に消費されるのを低減できる。
【実施例２】
【００８６】
〈実施例２の構成〉
図１４は、実施例２の画像形成システムを示すブロック構成図である。
【００８７】
図１４に示すように、実施例２の画像形成システムは、情報処理装置８０、ネットワーク５００（Ｉ／Ｆケーブル）及び画像形成装置２０から構成され、情報処理装置８０は、ネットワーク５００（Ｉ／Ｆケーブル）を介して画像形成装置２０に接続されている。画像形成装置２０は、実施例１と同様である。
【００８８】
情報処理装置８０は、例えば、ＰＣ（Ｐｅｒｓｏｎａｌ  Ｃｏｍｐｕｔｅｒ）等であり、キーボード、マウス等からなる入力部１１、液晶等からなる出力部１２、アプリケーション１３、オペレーティングシステム１４、ドライバ８１、送信部１６から構成されており、入力部１１、出力部１２、アプリケーション１３、オペレーティングシステム１４、送信部１６は、実施例１と同様である。
【００８９】
実施例２のドライバ８１は、印刷データ生成部８１Ａ、変換情報生成部８１Ｂ、変換情報合成部８１Ｃ、オブジェクト判別部８１Ｄから構成されている。
【００９０】
印刷データ生成部８１Ａは、描画オブジェクトデータに基づく印刷データを生成する生成部であり、描画オブジェクトデータを受けると、描画オブジェクトデータに基づいて、ページ記述言語（Ｐａｇｅ−Ｄｅｓｃｒｉｐｔｉｏｎ  Ｌａｎｇｕａｇｅ：ＰＤＬ）により画像形成装置２０に送信するための印刷データを生成する。
【００９１】
変換情報生成部８１Ｂは、ページ記述言語で記述された各描画オブジェクトの変換指示を行う指示部であり、図示しないメモリに変換設定を行うための変換設定画面データを保持している。
【００９２】
変換情報生成部８１Ｂは、印刷データ生成部８１Ａが印刷データを生成すると、図示しないメモリに印刷データを一時格納すると共に、メモリの変換設定画面データを出力部１２に転送する。
【００９３】
出力部１２は、変換設定画面データを受けると、変換設定画面データに基づいて変換設定画面を表示する。本実施例では、図１５に示すような変換設定画面が表示されることとする。
【００９４】
図１５に示すように、実施例２の変換設定画面は、モノクロ印刷チェックボックス８２、トナーセーブ印刷チェックボックス８３、サムネイル印刷チェックボックス８４、イメージ属性チェックボックス８５、グラフィック属性チェックボックス８６、テキスト属性チェックボックス８７、サイズ指定チェックボックス８８、面積設定ボックス８８ａ、画素数設定ボックス８８ｂ、条件名称入力ボックス８９、登録ボタン９０、登録条件リストボックス９１、削除ボタン９２、終了ボタン９３から構成されている。
【００９５】
イメージ属性チェックボックス８５、グラフィック属性チェックボックス８６、テキスト属性チェックボックス８７は、変換対象とする描画オブジェクトを指定するためのチェックボックスである。
【００９６】
本実施例では、イメージ属性チェックボックス８５、グラフィック属性チェックボックス８６がそれぞれ指定されることとする（図１６参照）。
【００９７】
モノクロ印刷チェックボックス８２、トナーセーブ印刷チェックボックス８３、サムネイル印刷チェックボックス８４は、指定された描画オブジェクトに対する変換指示を指定するためのチェックボックスである。
【００９８】
本実施例では、モノクロ印刷チェックボックス８２が指定されることとする（図１６参照）。
【００９９】
サイズ指定チェックボックス８８は、変換対象とする描画オブジェクトをサイズで指定することを指示するためのチェックボックスである。また、面積設定ボックス８８ａは、変換対象とする描画オブジェクトの面積範囲（＝ｃｍ＾２）を設定するための設定ボックスであり、画素数設定ボックス８８ｂは、変換対象とする描画オブジェクトの画素数範囲を設定するための設定ボックスである。
【０１００】
本実施例では、画素数範囲として「８００００〜９９９９９９」が画素数設定ボックス８８ｂに入力されることとする（図１６参照）。
【０１０１】
条件名称入力ボックス８９は、設定された変換条件の登録名称を入力するための入力ボックスであり、登録ボタン９０は、設定された変換条件を条件名称入力ボックス８９に入力された登録名称による登録を指示するためのボタンである。また、登録条件リストボックス９１は、登録された変換条件を表示させるためのリストボックスである。
【０１０２】
利用者が変換設定画面を参照し、入力部１１を介して、描画オブジェクトの変換条件を設定し、条件名称入力ボックス８９に設定された変換条件に対する任意の登録名称を示す登録名称データを入力すると共に、登録ボタン９０を押下すると、変換情報生成部８１Ｂは、設定された変換条件を示す変換条件データを生成し、登録名称データ及び生成した変換条件データを対応づけて図示しないメモリに保持することで登録処理を完了する。
【０１０３】
この際、変換情報生成部８１Ｂは、メモリの登録名称データ、変換条件データ及び変換設定画面データを出力部１２に転送し、登録名称データ、変換条件データ及び変換設定画面データを受けた出力部１２は、登録名称データ、変換条件データ及び変換設定画面データに基づいて、登録条件リストボックス９１を更新した変換設定画面を表示する。
【０１０４】
本実施例では、描画オブジェクトの変換条件として、イメージ属性チェックボックス８５、グラフィック属性チェックボックス８６、モノクロ印刷チェックボックス８２がそれぞれ指定され、画素数範囲として「８００００〜９９９９９９」が画素数設定ボックス８８ｂに入力されると共に、設定された変換条件の登録名称として「大きい画像をモノクロ変換」が条件名称入力ボックス８９に入力されていることから、変換情報生成部８１Ｂによって、イメージ又はグラフィックで、画素数範囲（＝８００００〜９９９９９９）内の描画オブジェクトに対してモノクロ変換を指示する変換条件データが生成されると共に、「大きい画像をモノクロ変換」を示す登録名称データ及び該変換条件データが対応づけられてメモリに保持される。また、出力部１２により、図１６に示すように、登録した変換条件データの登録名称が登録条件リストボックス９１に選択可能に表示された変換設定画面が表示される。
【０１０５】
これにより、利用者は、次回以降、変換設定画面の登録条件リストボックス９１に選択可能に表示された登録名称を選択することで、同一の変換条件を再度入力する必要がなく、迅速に変換条件を設定することができる。
【０１０６】
削除ボタン９２は、登録された変換条件の削除を指示するためのボタンである。
【０１０７】
利用者が変換設定画面の登録条件リストボックス９１を参照し、入力部１１を介して、不要となった変換条件に対応する登録名称を選択し、削除ボタン９２を押下すると、変換情報生成部８１Ｂは、選択された登録名称を示す登録名称データに基づいて、メモリから対応する変換条件データを削除する。
【０１０８】
終了ボタン９３は、変換設定の終了を指示するためのボタンであり、利用者が変換設定画面を参照し、入力部１１を介して、終了ボタン９３を押下すると、変換情報生成部８１Ｂは、メモリの変換条件データをオブジェクト判別部８１Ｄに転送する。
【０１０９】
本実施例では、描画オブジェクトの属性がイメージ又はグラフィックで、画素数範囲（＝８００００〜９９９９９９）内の描画オブジェクトに対してモノクロ変換を指示する変換条件データがオブジェクト判別部８１Ｄに転送される。
【０１１０】
オブジェクト判別部８１Ｄは、印刷データを構成する描画オブジェクトのうち、指定された変換条件に一致する描画オブジェクトを特定する特定部であり、変換条件データを受けると、メモリの印刷データを解析し、変換条件データに指定された変換条件に一致する全ての描画オブジェクトを変換対象の描画オブジェクトとして特定する。
【０１１１】
本実施例では、描画オブジェクトの属性がイメージ又はグラフィックで、画素数範囲（＝８００００〜９９９９９９）内の描画オブジェクトが変換対象として特定される。
【０１１２】
変換情報合成部８１Ｃは、オブジェクト指定情報及びオブジェクト変換情報を印刷データに付加する合成部であり、オブジェクト判別部８１Ｄが特定した描画オブジェクトを変換対象として指定するオブジェクト指定情報及び、変換条件データに基づいたオブジェクト変換情報をメモリの印刷データに付加して合成印刷データを生成する。本実施例では、モノクロ印刷を指示するオブジェクト変換情報が付加された合成印刷データが生成される。
【０１１３】
変換情報合成部８１Ｃは、変換対象の全描画オブジェクトを変換するためのオブジェクト変換情報を印刷データに付加した合成印刷データを生成すると、該合成印刷データを送信部１６に転送する。
【０１１４】
送信部１６は、合成印刷データを受けると、合成印刷データを画像形成装置２０に送信し、以降、画像形成装置２０は、実施例１と同様に動作する。
【０１１５】
〈実施例２の動作〉
次に、実施例２の画像形成システムの動作について説明を行う。
【０１１６】
図１７は、実施例２の画像形成システムの動作フローチャートである。
【０１１７】
実施例１と同様に動作し、アプリケーション１３により描画オブジェクトデータが生成され、オペレーティングシステム１４を介して、生成された描画オブジェクトデータが印刷データ生成部８１Ａに転送される。
【０１１８】
印刷データ生成部８１Ａは、描画オブジェクトデータを受けると、描画オブジェクトデータに基づいて、ページ記述言語（Ｐａｇｅ−Ｄｅｓｃｒｉｐｔｉｏｎ  Ｌａｎｇｕａｇｅ：ＰＤＬ）により画像形成装置２０に送信するための印刷データを生成する（Ｓ２）。
【０１１９】
変換情報生成部８１Ｂは、印刷データ生成部８１Ａが印刷データを生成すると、図示しないメモリに印刷データを一時格納すると共に、メモリの変換設定画面データを出力部１２に転送する。
【０１２０】
出力部１２は、変換設定画面データを受けると、変換設定画面データに基づいて変換設定画面を表示する。本実施例では、図１５に示すような変換設定画面が表示される（Ｓ３）。
【０１２１】
引き続き、利用者は、変換設定画面を参照し、入力部１１を介して、描画オブジェクトの変換条件を設定する（Ｓ４）。本実施例では、図１６に示すように、描画オブジェクトの変換条件として、イメージ属性チェックボックス８５、グラフィック属性チェックボックス８６、モノクロ印刷チェックボックス８２がそれぞれ指定されると共に、画素数範囲として「８００００〜９９９９９９」が画素数設定ボックス８８ｂに入力されることとする。
【０１２２】
引き続き、利用者が入力部１１を介して、設定された変換条件に対する任意の登録名称を示す登録名称データを条件名称入力ボックス８９に入力し、登録ボタン９０を押下すると、変換情報生成部８１Ｂは、設定された変換条件を示す変換条件データを生成し、登録名称データ及び生成した変換条件データを対応づけて図示しないメモリに保持することで登録処理を完了する。
【０１２３】
この際、変換情報生成部８１Ｂは、メモリの登録名称データ、変換条件データ及び変換設定画面データを出力部１２に転送し、登録名称データ、変換条件データ及び変換設定画面データを受けた出力部１２は、登録名称データ、変換条件データ及び変換設定画面データに基づいて、登録条件リストボックス９１を更新した変換設定画面を表示する。
【０１２４】
そして、利用者が入力部１１を介して、終了ボタン９３を押下すると、変換情報生成部８１Ｂは、メモリの変換条件データをオブジェクト判別部８１Ｄに転送する。
【０１２５】
本実施例では、イメージ又はグラフィックで、画素数範囲（＝８００００〜９９９９９９）内の描画オブジェクトに対してモノクロ変換を指示する変換条件データがオブジェクト判別部８１Ｄに転送される。
【０１２６】
オブジェクト判別部８１Ｄは、変換条件データを受けると、メモリの印刷データを解析し、変換条件データに指定された変換条件に一致する全ての描画オブジェクトを変換対象の描画オブジェクトとして特定する（Ｓ５）。
【０１２７】
本実施例では、描画オブジェクトの属性がイメージ又はグラフィックで、画素数範囲（＝８００００〜９９９９９９）内の描画オブジェクトが変換対象として特定される。
【０１２８】
変換情報合成部８１Ｃは、オブジェクト判別部８１Ｄが特定した描画オブジェクトを変換対象として指定するオブジェクト指定情報及び、変換条件データに基づいたオブジェクト変換情報をメモリの印刷データに付加して合成印刷データを生成する。本実施例では、モノクロ印刷を指示するオブジェクト変換情報が付加された合成印刷データが生成される（Ｓ６）。
【０１２９】
変換情報合成部８１Ｃは、変換対象の全描画オブジェクトを変換するためのオブジェクト変換情報を付加した合成印刷データを生成すると、該合成印刷データを送信部１６に転送する。
【０１３０】
送信部１６は、合成印刷データを受けると、合成印刷データを画像形成装置２０に送信し（Ｓ７）、以降、画像形成装置２０は、実施例１と同様に動作する（Ｓ８〜Ｓ１０）。
【０１３１】
〈実施例２の効果〉
実施例２の画像形成システムでは、少なくともテキスト、図形及び画像のいずれかの描画オブジェクトを含む印刷データを生成すると、カラートナーの消費を低減すべく、変換対象として指定された描画オブジェクトを示すオブジェクト指定情報及び該指定した描画オブジェクトに対するカラートナーの消費低減を指示するオブジェクト変換情報を生成し、印刷データに生成されたオブジェクト指定情報及びオブジェクト変換情報を付加した合成印刷データを生成し、オブジェクト指定情報及びオブジェクト変換情報に基づいて合成印刷データを変換処理して変換印刷データを生成し、生成された変換印刷データに基づいて印刷処理を行うようにしたので、例えば、モノクロ印刷されてもカラー印刷と比べて情報差が生じない場合にカラートナーを抑制した印刷処理を行うことができる。また、画像等の描画オブジェクトのサイズを縮小しても縮小前と比べて情報差が生じない場合にカラートナーを抑制した印刷処理を行うことができる。さらに、画像等の描画オブジェクトの濃度を低減しても低減前と比べて情報差が生じない場合にカラートナーを抑制した印刷処理を行うことができる。従って、カラートナーが不要に消費されるのを低減できる。
【０１３２】
また、設定された変換条件を示す変更条件データが入力される任意の登録名称に対応づけて登録されると共に、変換設定画面の登録条件リストボックス９１に選択可能に表示するようにしたので、利用者は、次回以降、変換設定画面の登録条件リストボックス９１に表示された登録名称を選択することで、同一の変換条件を再度入力する必要がなく、迅速に変換条件を設定することができる。
【実施例３】
【０１３３】
〈実施例３の構成〉
図１８は、実施例３の画像形成システムを示すブロック構成図である。
【０１３４】
図１８に示すように、実施例３の画像形成システムは、情報処理装置１００、ネットワーク５００（Ｉ／Ｆケーブル）及び画像形成装置２００から構成され、情報処理装置１００は、ネットワーク５００（Ｉ／Ｆケーブル）を介して画像形成装置２００に接続されている。
【０１３５】
情報処理装置１００は、例えば、ＰＣ（Ｐｅｒｓｏｎａｌ  Ｃｏｍｐｕｔｅｒ）等であり、キーボード、マウス等からなる入力部１１、液晶等からなる出力部１２、アプリケーション１３、オペレーティングシステム１４、ドライバ１０１、送信部１６から構成されている。ここで、入力部１１、出力部１２、アプリケーション１３、オペレーティングシステム１４、送信部１６は、実施例１と同様である。
【０１３６】
実施例３のドライバ１０１は、印刷データ生成部１５Ａ、変換情報生成部１５Ｂ、変換情報合成部１５Ｃ、変換部１０３から構成されており、印刷データ生成部１５Ａ、変換情報合成部１５Ｃは、実施例１と同様である。
【０１３７】
実施例１と同様に、利用者が入力部１１を介して、描画オブジェクトの変換設定後、変換設定画面の終了ボタン４０を押下すると、実施例３の変換情報生成部１０２は、変換設定の終了を検知し、メモリの合成印刷データを変換部１０３に転送すると共に、出力部１２に変換設定画面の表示終了を指示する終了指示信号を出力する。終了指示信号を受けた出力部１２は、変換設定画面の表示を終了させる。
【０１３８】
変換部１０３は、合成印刷データの変換処理を行う変換部であり、合成印刷データを受けると、該合成印刷データに付加されたオブジェクト指定情報およびオブジェクト変換情報に基づいて、合成印刷データの変換処理を実行して、変換印刷データを生成する。
【０１３９】
即ち、実施例１の変換部２２と同様に、まず、オブジェクト変換情報が付加されているか否かを判定すべく、合成印刷データを解析し、オブジェクト変換情報が付加されていないと、変換処理の完了を検知し、変換印刷データを送信部１６に転送し、オブジェクト変換情報が付加されていると、引き続き、変換対象のオブジェクト指定情報が存在するか否かを判定すべく、合成印刷データを解析し、変換対象のオブジェクト指定情報が存在していないと、合成印刷データからオブジェクト変換情報を削除し、引き続き、他のオブジェクト変換情報が付加されているか否かを判定すべく、上記と同様に合成印刷データの解析を行う。
【０１４０】
一方、変換対象のオブジェクト指定情報が存在していると、該オブジェクト指定情報が示す描画オブジェクトのページ記述言語をオブジェクト変換情報に基づいて変換処理すると共に、該変換処理の対象となった描画オブジェクトのオブジェクト指定情報を削除する。
【０１４１】
変換部１０３は、上記した変換処理を変換対象のオブジェクト指定情報が存在しなくなるまで繰り返し実行し、変換対象のオブジェクト指定情報が存在しなくなると、オブジェクト変換情報を削除すると共に、引き続き、他のオブジェクト変換情報が付加されているか否かを判定すべく、上記と同様に合成印刷データの解析を行う。
【０１４２】
尚、例えば、合成印刷データにオブジェクト指定情報７２およびトナーセーブ印刷を指示するオブジェクト変換情報７５が付加されていた場合、オブジェクト指定情報７２が示す描画オブジェクトのページ記述言語を濃度減縮変換した変換印刷データが送信部１６に転送される。また、印刷データにオブジェクト指定情報７２およびサムネイル印刷を指示するオブジェクト変換情報７６が付加されていた場合、オブジェクト指定情報７２が示す描画オブジェクトのページ記述言語を縮小変換した変換印刷データが送信部１６に転送される。
【０１４３】
送信部１６は、変換印刷データを受けると、実施例１と同様に、該変換印刷データを画像形成装置２００に送信する。
【０１４４】
実施例３の画像形成装置２００は、変換印刷データに基づく印刷処理を実行するプリンタ等であり、受信部２１、印刷部２３を有している。
【０１４５】
受信部２１は、変換印刷データを受信する受信部であり、変換印刷データを受信すると、受信した変換印刷データを印刷部２３に転送する。
【０１４６】
印刷部２３は、変換印刷データに基づいて印刷処理を行う印刷部であり、変換印刷データを受けると、変換印刷データに基づいて印刷処理を実行する。
【０１４７】
このように、変換設定画面を介して、印刷データを構成する描画オブジェクトのうち、モノクロ印刷でもカラー印刷に比べて情報差が生じないと判断した描画オブジェクトを指定し、指定された描画オブジェクトをモノクロ変換した変換印刷データを印刷部２３に送信して、印刷処理を行うようにしたので、カラートナーを抑制した印刷処理を行うことができる。従って、カラートナーが不要に消費されてしまうのを低減できる。
【０１４８】
また、印刷データを構成する描画オブジェクトのうち、トナーをセーブして印刷してもフルトナー印刷に比べて情報差が生じないと判断した描画オブジェクトを指定し、指定された描画オブジェクトを濃度減縮変換した印刷データを印刷部２３に送信して、印刷処理を行うようにしたので、カラートナーを抑制した印刷処理を行うことができる。従って、カラートナーが不要に消費されてしまうのを低減できる。
【０１４９】
さらに、印刷データを構成する描画オブジェクトのうち、描画オブジェクトのサイズを変更しても、変更前に比べて情報差が生じないと判断した描画オブジェクトを指定し、指定された描画オブジェクトを縮小変換した印刷データを印刷部２３に送信して、印刷処理を行うようにしたので、カラートナーを抑制した印刷処理を行うことができる。従って、カラートナーが不要に消費されてしまうのを低減できる。
【０１５０】
さらに、指定された描画オブジェクトの変換処理を処理能力が高い情報処理装置１００側で実行するようにしたので、画像形成装置２００の処理能力が低い場合でも効率よく印刷処理を実行できる。
【０１５１】
〈実施例３の動作〉
次に、実施例３の画像形成システムの動作について説明を行う。
【０１５２】
図１９は、実施例３の画像形成システムの動作フローチャートである。
【０１５３】
実施例１と同様に動作し、利用者が入力部１１を介して、描画オブジェクトの変換設定後、変換設定画面の終了ボタン４０を押下すると、実施例３の変換情報生成部１０２は、変換設定の終了を検知し、メモリの合成印刷データを変換部１０３に転送すると共に（Ｓ６）、出力部１２に変換設定画面の表示終了を指示する終了指示信号を出力する。終了指示信号を受けた出力部１２は、変換設定画面の表示を終了させる。
【０１５４】
変換部１０３は、合成印刷データを受けると、該合成印刷データに付加されたオブジェクト指定情報およびオブジェクト変換情報に基づいて、合成印刷データの変換処理を実行して変換印刷データを生成する（Ｓ７）。
【０１５５】
即ち、実施例１の変換部２２と同様に、まず、オブジェクト変換情報が付加されているか否かを判定すべく、合成印刷データを解析し、オブジェクト変換情報が付加されていないと、変換処理の完了を検知し、変換印刷データを送信部１６に転送し、オブジェクト変換情報が付加されていると、引き続き、変換対象のオブジェクト指定情報が存在するか否かを判定すべく、合成印刷データを解析し、変換対象のオブジェクト指定情報が存在していないと、合成印刷データからオブジェクト変換情報を削除し、引き続き、他のオブジェクト変換情報が付加されているか否かを判定すべく、上記と同様に合成印刷データの解析を行う。
【０１５６】
一方、変換対象のオブジェクト指定情報が存在していると、該オブジェクト指定情報が示す描画オブジェクトのページ記述言語をオブジェクト変換情報に基づいて変換処理すると共に、該変換処理の対象となった描画オブジェクトのオブジェクト指定情報を削除する。
【０１５７】
変換部１０３は、上記した変換処理を変換対象のオブジェクト指定情報が存在しなくなるまで繰り返し実行し、変換対象のオブジェクト指定情報が存在しなくなると、オブジェクト変換情報を削除すると共に、引き続き、他のオブジェクト変換情報が付加されているか否かを判定すべく、上記と同様に合成印刷データの解析を行う。
【０１５８】
送信部１６は、変換印刷データを受けると、実施例１と同様に、該変換印刷データを画像形成装置２００に送信する（Ｓ８）。
【０１５９】
画像形成装置２００の受信部２１は、変換印刷データを受信すると、受信した変換印刷データを印刷部２３に転送する。
【０１６０】
印刷部２３は、変換印刷データを受けると、変換印刷データに基づいて印刷処理を実行する（Ｓ９）。
【０１６１】
〈実施例３の効果〉
実施例３の画像形成システムでは、情報処理装置１００が少なくともテキスト、図形及び画像のいずれかの描画オブジェクトを含む印刷データを生成し、カラートナーの消費を低減すべく、変換対象として指定された描画オブジェクトを示すオブジェクト指定情報及び該指定した描画オブジェクトに対するカラートナーの消費低減を指示するオブジェクト変換情報を生成し、印刷データに生成されたオブジェクト指定情報及びオブジェクト変換情報を付加した合成印刷データを生成し、オブジェクト指定情報及びオブジェクト変換情報に基づいて合成印刷データを変換処理して変換印刷データを生成すると、画像形成装置２００が生成された変換印刷データに基づいて印刷処理を行うようにしたので、画像形成装置２００の処理性能に依存することなく、例えば、モノクロ印刷されてもカラー印刷と比べて情報差が生じない場合にカラートナーを抑制した印刷処理を迅速に行うことができる。また、画像等の描画オブジェクトのサイズを縮小しても縮小前と比べて情報差が生じない場合にカラートナーを抑制した印刷処理を迅速に行うことができる。さらに、画像等の描画オブジェクトの濃度を低減しても低減前と比べて情報差が生じない場合にカラートナーを抑制した印刷処理を迅速に行うことができる。従って、カラートナーが不要に消費されるのを低減できる。
【実施例４】
【０１６２】
〈実施例４の構成〉
図２０は、実施例４の画像形成システムを示すブロック構成図である。
【０１６３】
図２０に示すように、実施例４の画像形成システムは、情報処理装置３００、ネットワーク５００（Ｉ／Ｆケーブル）及び画像形成装置４００から構成され、情報処理装置３００は、ネットワーク５００（Ｉ／Ｆケーブル）を介して画像形成装置４００に接続されている。
【０１６４】
情報処理装置３００は、例えば、ＰＣ（Ｐｅｒｓｏｎａｌ  Ｃｏｍｐｕｔｅｒ）等であり、キーボード、マウス等からなる入力部１１、液晶等からなる出力部１２、アプリケーション１３、オペレーティングシステム１４、ドライバ３０１、送信部１６から構成されている。ここで、入力部１１、出力部１２、アプリケーション１３、オペレーティングシステム１４、送信部１６は、実施例１と同様である。
【０１６５】
実施例４のドライバ３０１は、印刷データ生成部１５Ａを有しており、この印刷データ生成部１５Ａは、実施例１と同様に、描画オブジェクトデータを受けると、描画オブジェクトデータに基づいて、ページ記述言語により画像形成装置４００に送信するための印刷データを生成し、送信部１６を介して、生成された印刷データを画像形成装置４００に送信する。
【０１６６】
実施例４の画像形成装置４００は、印刷データに基づく印刷処理等を実行するプリンタ等であり、受信部２１、印刷部２３、キーボード等からなる入力部４０３、液晶等からなる出力部４０４、変換情報生成部４０１、変換情報合成部４０５、変換部４０２を有している。
【０１６７】
受信部２１は、印刷データを受信する受信部であり、情報処理装置３００から印刷データを受信すると、受信した印刷データを変換情報生成部４０１に転送する。
【０１６８】
変換情報生成部４０１は、ページ記述言語で記述された各描画オブジェクトの変換指示を行う指示部であり、図示しないメモリに変換設定を行うための変換設定画面データを保持している。
【０１６９】
変換情報生成部４０１は、印刷データを受けると、図示しないメモリに印刷データを一時格納すると共に、生成された印刷データに基づいて、ページ毎のプレビュー表示用の印刷画像データを生成し、生成された最初のページの印刷画像データ及びメモリの変換設定画面データを出力部４０４に転送する。この際、変換情報生成部４０１は、最初のページ以外のその他の印刷画像データを図示しないメモリに一時格納する。
【０１７０】
出力部４０４は、印刷画像データ及び変換設定画面データを受けると、印刷画像データ及び変換設定画面データに基づいて変換設定画面を表示する。本実施例では、実施例１と同様に、図４に示すような変換設定画面が表示されることとする。
【０１７１】
そして、実施例１と同様に、利用者が入力部４０３を介して変換設定画面の終了ボタン４０を押下すると、実施例４の変換情報生成部４０１は、変換設定の終了を検知し、メモリの合成印刷データを変換部４０２に転送すると共に、出力部４０４に変換設定画面の表示終了を指示する終了指示信号を出力する。終了指示信号を受けた出力部４０４は、変換設定画面の表示を終了させる。
【０１７２】
変換部４０２は、合成印刷データの変換処理を行う変換部であり、合成印刷データを受けると、実施例１の変換部２２と同様に、該合成印刷データに付加されたオブジェクト指定情報およびオブジェクト変換情報に基づいて、合成印刷データの変換処理を実行し、全ての変換処理を完了すると、変換印刷データを印刷部２３に転送する。
【０１７３】
印刷部２３は、変換印刷データに基づいて印刷処理を実行する印刷部であり、変換印刷データを受けると、受け付けた変換印刷データに基づいて印刷処理を実行する。
【０１７４】
〈実施例４の動作〉
次に、実施例４の画像形成システムの動作について説明を行う。
【０１７５】
図２１は、実施例４の画像形成システムの動作フローチャートである。
【０１７６】
実施例４のドライバ３０１の印刷データ生成部１５Ａは、実施例１と同様に動作し、描画オブジェクトデータを受けると、描画オブジェクトデータに基づいて、ページ記述言語により画像形成装置４００に送信するための印刷データを生成し、送信部１６を介して、生成された印刷データを画像形成装置４００に送信する（Ｓ３）。
【０１７７】
画像形成装置４００の受信部２１は、情報処理装置３００から印刷データを受信すると、受信した印刷データを変換情報生成部４０１に転送する。
【０１７８】
変換情報生成部４０１は、印刷データを受けると、図示しないメモリに印刷データを一時格納すると共に、生成された印刷データに基づいて、ページ毎のプレビュー表示用の印刷画像データを生成し、生成された最初のページの印刷画像データ及びメモリの変換設定画面データを出力部４０４に転送する。この際、変換情報生成部４０１は、最初のページ以外のその他の印刷画像データを図示しないメモリに一時格納する。
【０１７９】
出力部４０４は、印刷画像データ及び変換設定画面データを受けると、印刷画像データ及び変換設定画面データに基づいて変換設定画面を表示する（Ｓ４）。本実施例では、実施例１と同様に、図４に示すような変換設定画面が表示されることとする。
【０１８０】
そして、実施例１と同様に動作し（Ｓ５〜６）、利用者が入力部４０３を介して変換設定画面の終了ボタン４０を押下すると、実施例４の変換情報生成部４０１は、変換設定の終了を検知し、メモリの合成印刷データを変換部４０２に転送すると共に（Ｓ７）、出力部４０４に変換設定画面の表示終了を指示する終了指示信号を出力する。終了指示信号を受けた出力部４０４は、変換設定画面の表示を終了させる。
【０１８１】
変換部４０２は、合成印刷データを受けると、実施例１の変換部２２と同様に、該合成印刷データに付加されたオブジェクト指定情報およびオブジェクト変換情報に基づいて、合成印刷データの変換処理を実行し（Ｓ８）、全ての変換処理を完了すると、変換印刷データを印刷部２３に転送する（Ｓ９）。
【０１８２】
印刷部２３は、変換印刷データを受けると、受け付けた変換印刷データに基づいて印刷処理を実行する（Ｓ１０）。
【０１８３】
〈実施例４の効果〉
実施例４の画像形成システムでは、画像形成装置４００が少なくともテキスト、図形及び画像のいずれかの描画オブジェクトを含む印刷データを受信すると、カラートナーの消費を低減すべく、変換対象として指定された描画オブジェクトを示すオブジェクト指定情報及び該指定した描画オブジェクトに対するカラートナーの消費低減を指示するオブジェクト変換情報を生成し、印刷データに生成されたオブジェクト指定情報及びオブジェクト変換情報を付加した合成印刷データを生成し、オブジェクト指定情報及びオブジェクト変換情報に基づいて合成印刷データを変換処理して変換印刷データを生成し、生成された変換印刷データに基づいて印刷処理を行うようにしたので、情報処理装置３００の処理性能に依存することなく、例えば、モノクロ印刷されてもカラー印刷と比べて情報差が生じない場合にカラートナーを抑制した印刷処理を迅速に行うことができる。また、画像等の描画オブジェクトのサイズを縮小しても縮小前と比べて情報差が生じない場合にカラートナーを抑制した印刷処理を迅速に行うことができる。さらに、画像等の描画オブジェクトの濃度を低減しても低減前と比べて情報差が生じない場合にカラートナーを抑制した印刷処理を迅速に行うことができる。従って、カラートナーが不要に消費されるのを低減できる。
【図面の簡単な説明】
【０１８４】
【図１】本発明の画像形成システムを示すブロック構成図
【図２】描画オブジェクトデータを示す例示図
【図３】印刷データを示す例示図
【図４】変換設定画面の例示図
【図５】変換設定画面の例示図
【図６】変換設定画面の例示図
【図７】変換設定画面の例示図
【図８】合成印刷データを示す例示図
【図９】変換印刷データを示す例示図
【図１０】変換印刷データを示す例示図
【図１１】変換印刷データを示す例示図
【図１２】実施例１の画像形成システムの動作フローチャート
【図１３】変換部２２の動作フローチャート
【図１４】実施例２の画像形成システムを示すブロック構成図
【図１５】変換設定画面の例示図
【図１６】変換設定画面の例示図
【図１７】実施例２の画像形成システムの動作フローチャート
【図１８】実施例３の画像形成システムを示すブロック構成図
【図１９】実施例３の画像形成システムの動作フローチャート
【図２０】実施例４の画像形成システムを示すブロック構成図
【図２１】実施例４の画像形成システムの動作フローチャート
【符号の説明】
【０１８５】
１０  情報処理装置
１１  入力部
１２  出力部
１３  アプリケーション
１４  オペレーティングシステム
１４Ａ  グラフィックデバイスインターフェース
１５  ドライバ
１５Ａ  印刷データ生成部
１５Ｂ  変換情報生成部
１５Ｃ  変換情報合成部
１６  送信部
２０  画像形成装置
２１  受信部
２２  変換部
２３  印刷部
３０  プレビュー表示領域
３１  オブジェクト指定ボタン
３２  範囲指定ボタン
３３  モノクロ印刷チェックボックス
３４  トナーセーブ印刷チェックボックス
３５  サムネイル印刷チェックボックス
３６  指定オブジェクト表示領域
３７  指定解除ボタン
３８  前ページボタン
３９  次ページボタン
４０  終了ボタン
５１  描画オブジェクト
５２  描画オブジェクト
５３  描画オブジェクト
５４  描画オブジェクト
５５  描画オブジェクト
６０  印刷データ
６１  ページ記述言語
６２  ページ記述言語
６３  ページ記述言語
６４  ページ記述言語
６５  ページ記述言語
７１  オブジェクト変換情報
７２  オブジェクト指定情報
７３  オブジェクト指定情報
７４  オブジェクト指定情報
８０  情報処理装置
８１  ドライバ
８１Ａ  印刷データ生成部
８１Ｂ  変換情報生成部
８１Ｃ  変換情報合成部
８１Ｄ  オブジェクト判別部
８２  モノクロ印刷チェックボックス
８３  トナーセーブ印刷チェックボックス
８４  サムネイル印刷チェックボックス
８５  イメージ属性チェックボックス
８６  グラフィック属性チェックボックス
８７  テキスト属性チェックボックス
８８  サイズ指定チェックボックス
８８ａ  面積設定ボックス
８８ｂ  画素数設定ボックス
８９  条件名称入力ボックス
９０  登録ボタン
９１  登録条件リストボックス
９２  削除ボタン
９３  終了ボタン
１００  情報処理装置
１０１  ドライバ
１０２  変換情報生成部
１０３  変換部
２００  画像形成装置
３００  情報処理装置
３０１  ドライバ
４００  画像形成装置
４０１  変換情報生成部
４０２  変換部
４０３  入力部
４０４  出力部
４０５  変換情報合成部
５００  ネットワーク
【図１】
0004757688.tif 000002
【図２】
0004757688.tif 000003
【図３】
0004757688.tif 000004
【図４】
0004757688.tif 000005
【図５】
0004757688.tif 000006
【図６】
0004757688.tif 000007
【図７】
0004757688.tif 000008
【図８】
0004757688.tif 000009
【図９】
0004757688.tif 000010
【図１０】
0004757688.tif 000011
【図１１】
0004757688.tif 000012
【図１２】
0004757688.tif 000013
【図１３】
0004757688.tif 000014
【図１４】
0004757688.tif 000015
【図１５】
0004757688.tif 000016
【図１６】
0004757688.tif 000017
【図１７】
0004757688.tif 000018
【図１８】
0004757688.tif 000019
【図１９】
0004757688.tif 000020
【図２０】
0004757688.tif 000021
【図２１】
0004757688.tif 000022